(57)【特許請求の範囲】
【請求項１】
共通の室内で温度が異なる可能性がある場所に配置される複数の温度センサと、
前記複数の温度センサそれぞれの周囲を照らすための複数の照明と、
前記複数の温度センサの各々からの温度が高い場合に、当該温度センサに対応する前記照明を暖色系の光を発するように制御し、前記複数の温度センサの各々からの温度が低い場合に、当該温度センサに対応する前記照明を寒色系の光を発するように制御するためのコントローラとを備える、ネットワークシステム。
【請求項２】
前記コントローラは、
第１の所定温度を第１の期間に対応付けて記憶し、前記第１の所定温度よりも低い第２の所定温度を前記第１の期間よりも気温が低い第２の期間に対応付けて記憶し、
前記第１の期間においては、前記第１の所定温度を基準温度として、前記複数の温度センサの各々からの温度に基づいて対応する前記照明の光の色を制御し、
前記第２の期間においては、前記第１の所定温度を基準温度として、前記複数の温度センサの各々からの温度に基づいて対応する前記照明の光の色を制御する、請求項１に記載のネットワークシステム。
【請求項３】
前記コントローラは、
前記第１の所定温度を前記第１の期間と第１の時間帯とに対応付けて記憶し、前記第２の所定温度を前記第２の期間と前記第１の時間帯とに対応付けて記憶し、前記第１の所定温度よりも低い第３の所定温度を前記第１の期間と前記第１の時間帯よりも気温が低い第２の時間帯とに対応付けて記憶し、前記第２の所定温度よりも低い第４の所定温度を前記第２の期間と前記第１の時間帯よりも気温が低い第２の時間帯とに対応付けて記憶し、
前記第１の期間の前記第１の時間帯においては、前記第１の所定温度を基準温度として、前記複数の温度センサの各々からの温度に基づいて対応する前記照明の光の色を制御し、
前記第１の期間の前記第２の時間帯においては、前記第３の所定温度を基準温度として、前記複数の温度センサの各々からの温度に基づいて対応する前記照明の光の色を制御し、
前記第２の期間の前記第１の時間帯においては、前記第２の所定温度を基準温度として、前記複数の温度センサの各々からの温度に基づいて対応する前記照明の光の色を制御し、
前記第２の期間の前記第２の時間帯においては、前記第４の所定温度を基準温度として、前記複数の温度センサの各々からの温度に基づいて対応する前記照明の光の色を制御する、請求項２に記載のネットワークシステム。
【請求項４】
外気温度を測定するための外気温度センサをさらに備え、
前記コントローラは、
第１の修正値を第１の期間に対応付けて記憶し、前記第１の修正値よりも高い第２の修正値を前記第１の期間よりも気温が低い第２の期間に対応付けて記憶し、
前記第１の期間においては、前記第１の修正値に基づいて修正された前記外気温度を基準温度として、前記複数の温度センサの各々からの温度に基づいて対応する前記照明の光の色を制御し、
前記第２の期間においては、前記第２の修正値に基づいて修正された前記外気温度を基準温度として、前記複数の温度センサの各々からの温度に基づいて対応する前記照明の光の色を制御する、請求項１に記載のネットワークシステム。
【請求項５】
前記コントローラは、
ユーザから温度の指定を受け付け、
前記指定された温度を基準温度として、前記複数の温度センサの各々からの温度に基づいて対応する前記照明の光の色を制御する、請求項１に記載のネットワークシステム。
【請求項６】
前記コントローラは、
前記複数の温度センサの各々からの温度の平均値を計算し、
前記平均値を基準温度として、前記複数の温度センサの各々からの温度に基づいて対応する前記照明の光の色を制御する、請求項１に記載のネットワークシステム。
【請求項７】
複数の温度センサと、
前記複数の温度センサそれぞれの周囲を照らすための複数の照明と、
前記複数の温度センサの各々からの温度が高い場合に、当該温度センサに対応する前記照明を暖色系の光を発するように制御し、前記複数の温度センサの各々からの温度が低い場合に、当該温度センサに対応する前記照明を寒色系の光を発するように制御するためのコントローラと、
設定温度が入力されるエアーコンディショナとを備え、
前記コントローラは、
第１の修正値を第１の期間に対応付けて記憶し、前記第１の修正値よりも低い第２の修正値を前記第１の期間よりも気温が低い第２の期間に対応付けて記憶し、
前記第１の期間においては、前記第１の修正値に基づいて修正された前記設定温度を基準温度として、前記複数の温度センサの各々からの温度に基づいて対応する前記照明の光の色を制御し、
前記第２の期間においては、前記第２の修正値に基づいて修正された前記設定温度を基準温度として、前記複数の温度センサの各々からの温度に基づいて対応する前記照明の光の色を制御する、ネットワークシステム。
【請求項８】
共通の室内で温度が異なる可能性がある場所に配置される複数の温度センサと、
前記複数の温度センサそれぞれの周囲を照らすための複数の照明と、通信するための通信インターフェイスと、
プロセッサとを備え、
前記プロセッサは、
前記複数の温度センサの各々からの温度が高い場合に、前記通信インターフェイスを介して当該温度センサに対応する前記照明を暖色系の光を発するように制御し、
前記複数の温度センサの各々からの温度が低い場合に、前記通信インターフェイスを介して当該温度センサに対応する前記照明を寒色系の光を発するように制御する、コントローラ。
【請求項９】
第１の所定温度を第１の期間に対応付けて記憶し、前記第１の所定温度よりも低い第２の所定温度を前記第１の期間よりも気温が低い第２の期間に対応付けて記憶するメモリをさらに備え、
前記プロセッサは、
前記第１の期間においては、前記第１の所定温度を基準温度として、前記通信インターフェイスを介して前記複数の温度センサの各々からの温度に基づいて対応する前記照明の光の色を制御し、
前記第２の期間においては、前記第１の所定温度を基準温度として、前記通信インターフェイスを介して前記複数の温度センサの各々からの温度に基づいて対応する前記照明の光の色を制御する、請求項８に記載のコントローラ。
【請求項１０】
前記メモリは、前記第１の所定温度を前記第１の期間と第１の時間帯とに対応付けて記憶し、前記第２の所定温度を前記第２の期間と前記第１の時間帯とに対応付けて記憶し、前記第１の所定温度よりも低い第３の所定温度を前記第１の期間と前記第１の時間帯よりも気温が低い第２の時間帯とに対応付けて記憶し、前記第２の所定温度よりも低い第４の所定温度を前記第２の期間と前記第１の時間帯よりも気温が低い第２の時間帯とに対応付けて記憶し、
前記プロセッサは、
前記第１の期間の前記第１の時間帯においては、前記第１の所定温度を基準温度として、前記通信インターフェイスを介して前記複数の温度センサの各々からの温度に基づいて対応する前記照明の光の色を制御し、
前記第１の期間の前記第２の時間帯においては、前記第３の所定温度を基準温度として、前記通信インターフェイスを介して前記複数の温度センサの各々からの温度に基づいて対応する前記照明の光の色を制御し、
前記第２の期間の前記第１の時間帯においては、前記第２の所定温度を基準温度として、前記通信インターフェイスを介して前記複数の温度センサの各々からの温度に基づいて対応する前記照明の光の色を制御し、
前記第２の期間の前記第２の時間帯においては、前記第４の所定温度を基準温度として、前記通信インターフェイスを介して前記複数の温度センサの各々からの温度に基づいて対応する前記照明の光の色を制御する、請求項９に記載のコントローラ。
【請求項１１】
第１の修正値を第１の期間に対応付けて記憶し、前記第１の修正値よりも高い第２の修正値を前記第１の期間よりも気温が低い第２の期間に対応付けて記憶するメモリをさらに備え、
前記通信インターフェイスは外気温度センサと通信可能であって、
前記プロセッサは、
前記通信インターフェイスを介して前記外気温度センサから外気温度を受信し、
前記第１の期間においては、前記第１の修正値に基づいて修正された前記外気温度を基準温度として、前記通信インターフェイスを介して前記複数の温度センサの各々からの温度に基づいて対応する前記照明の光の色を制御し、
前記第２の期間においては、前記第２の修正値に基づいて修正された前記外気温度を基準温度として、前記通信インターフェイスを介して前記複数の温度センサの各々からの温度に基づいて対応する前記照明の光の色を制御する、請求項８に記載のコントローラ。
【請求項１２】
ユーザから温度の指定を受け付けるための操作部をさらに備え、
前記プロセッサは、前記指定された温度を基準温度として、前記通信インターフェイスを介して前記複数の温度センサの各々からの温度に基づいて対応する前記照明の光の色を制御する、請求項８に記載のコントローラ。
【請求項１３】
前記プロセッサは、
前記複数の温度センサの各々からの温度の平均値を計算し、
前記平均値を基準温度として、前記通信インターフェイスを介して前記複数の温度センサの各々からの温度に基づいて対応する前記照明の光の色を制御する、請求項８に記載のコントローラ。
【請求項１４】
複数の温度センサと、
前記複数の温度センサそれぞれの周囲を照らすための複数の照明と、通信するための通信インターフェイスと、
前記複数の温度センサの各々からの温度が高い場合に、前記通信インターフェイスを介して当該温度センサに対応する前記照明を暖色系の光を発するように制御し、前記複数の温度センサの各々からの温度が低い場合に、前記通信インターフェイスを介して当該温度センサに対応する前記照明を寒色系の光を発するように制御するプロセッサと、
第１の修正値を第１の期間に対応付けて記憶し、前記第１の修正値よりも低い第２の修正値を前記第１の期間よりも気温が低い第２の期間に対応付けて記憶するメモリとを備え、
前記通信インターフェイスはエアーコンディショナと通信可能であって、
前記プロセッサは、
前記エアーコンディショナの設定温度を取得し、
前記第１の期間においては、前記第１の修正値に基づいて修正された前記設定温度を基準温度として、前記通信インターフェイスを介して前記複数の温度センサの各々からの温度に基づいて対応する前記照明の光の色を制御し、
前記第２の期間においては、前記第２の修正値に基づいて修正された前記設定温度を基準温度として、前記通信インターフェイスを介して前記複数の温度センサの各々からの温度に基づいて対応する前記照明の光の色を制御する、コントローラ。
【請求項１５】
共通の室内で温度が異なる可能性がある場所に配置される複数の温度センサと、前記複数の温度センサそれぞれの周囲を照らすための複数の照明と、コントローラと、を含むネットワークシステムの制御方法であって、
前記コントローラが、前記複数の温度センサの各々からの温度を取得するステップと、
前記複数の温度センサの各々からの温度が高い場合に、前記コントローラが、当該温度センサに対応する前記照明を暖色系の光を発するように制御するステップと、
前記複数の温度センサの各々からの温度が低い場合に、前記コントローラが、当該温度センサに対応する前記照明を寒色系の光を発するように制御するステップとを備える、制御方法。
【請求項１６】
共通の室内で温度が異なる可能性がある場所に配置される複数の温度センサと前記複数の温度センサそれぞれの周囲を照らすための複数の照明と通信するための通信インターフェイスと、プロセッサと、を含むコントローラの制御方法であって、
前記プロセッサが、前記通信インターフェイスを介して前記複数の温度センサの各々から温度を受信するステップと、
前記複数の温度センサの各々からの温度が高い場合に、前記プロセッサが、前記通信インターフェイスを介して当該温度センサに対応する前記照明を暖色系の光を発するように制御するステップと、
前記複数の温度センサの各々からの温度が低い場合に、前記プロセッサが、前記通信インターフェイスを介して当該温度センサに対応する前記照明を寒色系の光を発するように制御するステップとを備える、制御方法。
【発明の詳細な説明】
【技術分野】
【０００１】
本発明は、照明が発する光の色を制御するためのネットワークシステム、コントローラおよび制御方法に関し、特に温度に応じて照明が発する光の色を制御するためのネットワークシステム、コントローラおよび制御方法に関する。
【背景技術】
【０００２】
温度に応じて照明が発する光の色を変化させるための技術が知られている。たとえば、温度や季節に応じて照明の色を変化させることによって、体感温度を好適に変化させる技術が知られている。
【０００３】
たとえば、特開平０６−０７６９５９号公報（特許文献１）には、照明・空調統合システムが開示されている。特開平０６−０７６９５９号公報（特許文献１）によると、光源色温度を高くすれば、体感明度は明るく感じ、体感温度は涼しく感じる。また、光源色温度を低くすれば、体感明度は暗く感じ、体感温度は暖かく感じる。夏場の場合、照明負荷の光源色温度を上げて、照明負荷は制御部により照度設定を下げる方向に制御を行う。また、制御部により空調負荷の空調温度の設定を上げる。冬場においては同様に、光源色温度を下げ、照明負荷の照度設定を上げる方向に制御すると共に、空調負荷の空調温度設定を下げる方向に制御する。
【０００４】
また、特開平０７−００６８７８号公報（特許文献２）には、可変色照明装置が開示されている。特開平０７−００６８７８号公報（特許文献２）によると、発光色の異なる複数の光源と、各光源の発光光量を制御する点灯制御部を具備した可変色照明装置に、色温度を設定する色温度設定操作部と、それを受けて色温度制御信号を発生する色温度制御信号発生部と、照明空間と空間以外の温度を検出する温度センサーと、照明空間と空間以外の温度差を比較演算する比較演算部と、その温度差に応じて色温度を補正する色温度補正手段を備える。
【先行技術文献】
【特許文献】
【０００５】
【特許文献１】特開平０６−０７６９５９号公報
【特許文献２】特開平０７−００６８７８号公報
【発明の概要】
【発明が解決しようとする課題】
【０００６】
しかしながら、場所に応じて温度が異なる場合がある。たとえば、室内の場合、エアーコンディショナの正面とエアーコンディショナの側方とでは、その温度が異なる可能性が高い。つまり、場所によっては、温度に対応した色の光が照射されない場合がある。
【０００７】
本発明は、かかる問題を解決するためになされたものであり、その目的は、ユーザが涼しい場所や暖かい場所を認識することができるように、場所に応じてより細やかに照明が発する光の色を制御することができるネットワークシステム、コントローラおよび制御方法を提供することである。
【課題を解決するための手段】
【０００８】
この発明のある局面に従うと、複数の温度センサと、複数の温度センサそれぞれの周囲を照らすための複数の照明と、複数の温度センサの各々からの温度が高い場合に、当該温度センサに対応する照明を暖色系の光を発するように制御し、複数の温度センサの各々からの温度が低い場合に、当該温度センサに対応する照明を寒色系の光を発するように制御するためのコントローラとを備える、ネットワークシステムが提供される。
【０００９】
好ましくは、コントローラは、第１の所定温度を第１の期間に対応付けて記憶し、第１の所定温度よりも低い第２の所定温度を第１の期間よりも気温が低い第２の期間に対応付けて記憶する。コントローラは、第１の期間においては、第１の所定温度を基準温度として、複数の温度センサの各々からの温度に基づいて対応する照明の光の色を制御し、第２の期間においては、第１の所定温度を基準温度として、複数の温度センサの各々からの温度に基づいて対応する照明の光の色を制御する。
【００１０】
好ましくは、コントローラは、第１の所定温度を第１の期間と第１の時間帯とに対応付けて記憶し、第２の所定温度を第２の期間と第１の時間帯とに対応付けて記憶し、第１の所定温度よりも低い第３の所定温度を第１の期間と第１の時間帯よりも気温が低い第２の時間帯とに対応付けて記憶し、第２の所定温度よりも低い第４の所定温度を第２の期間と第１の時間帯よりも気温が低い第２の時間帯とに対応付けて記憶する。コントローラは、第１の期間の第１の時間帯においては、第１の所定温度を基準温度として、複数の温度センサの各々からの温度に基づいて対応する照明の光の色を制御し、第１の期間の第２の時間帯においては、第３の所定温度を基準温度として、複数の温度センサの各々からの温度に基づいて対応する照明の光の色を制御し、第２の期間の第１の時間帯においては、第２の所定温度を基準温度として、複数の温度センサの各々からの温度に基づいて対応する照明の光の色を制御し、第２の期間の第２の時間帯においては、第４の所定温度を基準温度として、複数の温度センサの各々からの温度に基づいて対応する照明の光の色を制御する。
【００１１】
好ましくは、ネットワークシステムは、外気温度を測定するための外気温度センサをさらに備える。コントローラは、第１の修正値を第１の期間に対応付けて記憶し、第１の修正値よりも高い第２の修正値を第１の期間よりも気温が低い第２の期間に対応付けて記憶する。コントローラは、第１の期間においては、第１の修正値に基づいて修正された外気温度を基準温度として、複数の温度センサの各々からの温度に基づいて対応する照明の光の色を制御し、第２の期間においては、第２の修正値に基づいて修正された外気温度を基準温度として、複数の温度センサの各々からの温度に基づいて対応する照明の光の色を制御する。
【００１２】
好ましくは、ネットワークシステムは、設定温度が入力されるエアーコンディショナをさらに備える。コントローラは、第１の修正値を第１の期間に対応付けて記憶し、第１の修正値よりも低い第２の修正値を第１の期間よりも気温が低い第２の期間に対応付けて記憶する。コントローラは、第１の期間においては、第１の修正値に基づいて修正された設定温度を基準温度として、複数の温度センサの各々からの温度に基づいて対応する照明の光の色を制御し、第２の期間においては、第２の修正値に基づいて修正された設定温度を基準温度として、複数の温度センサの各々からの温度に基づいて対応する照明の光の色を制御する。
【００１３】
好ましくは、コントローラは、ユーザから温度の指定を受け付ける。コントローラは、指定された温度を基準温度として、複数の温度センサの各々からの温度に基づいて対応する照明の光の色を制御する。
【００１４】
好ましくは、コントローラは、複数の温度センサの各々からの温度の平均値を計算する。コントローラは、平均値を基準温度として、複数の温度センサの各々からの温度に基づいて対応する照明の光の色を制御する。
【００１５】
この発明の別の局面に従うと、複数の温度センサと、複数の温度センサそれぞれの周囲を照らすための複数の照明と、通信するための通信インターフェイスと、プロセッサとを備えるコントローラが提供される。プロセッサは、複数の温度センサの各々からの温度が高い場合に、通信インターフェイスを介して当該温度センサに対応する照明を暖色系の光を発するように制御し、複数の温度センサの各々からの温度が低い場合に、通信インターフェイスを介して当該温度センサに対応する照明を寒色系の光を発するように制御する。
【００１６】
好ましくは、コントローラは、第１の所定温度を第１の期間に対応付けて記憶し、第１の所定温度よりも低い第２の所定温度を第１の期間よりも気温が低い第２の期間に対応付けて記憶するメモリをさらに備える。プロセッサは、第１の期間においては、第１の所定温度を基準温度として、通信インターフェイスを介して複数の温度センサの各々からの温度に基づいて対応する照明の光の色を制御し、第２の期間においては、第１の所定温度を基準温度として、通信インターフェイスを介して複数の温度センサの各々からの温度に基づいて対応する照明の光の色を制御する。
【００１７】
好ましくは、メモリは、第１の所定温度を第１の期間と第１の時間帯とに対応付けて記憶し、第２の所定温度を第２の期間と第１の時間帯とに対応付けて記憶し、第１の所定温度よりも低い第３の所定温度を第１の期間と第１の時間帯よりも気温が低い第２の時間帯とに対応付けて記憶し、第２の所定温度よりも低い第４の所定温度を第２の期間と第１の時間帯よりも気温が低い第２の時間帯とに対応付けて記憶する。プロセッサは、第１の期間の第１の時間帯においては、第１の所定温度を基準温度として、通信インターフェイスを介して複数の温度センサの各々からの温度に基づいて対応する照明の光の色を制御し、第１の期間の第２の時間帯においては、第３の所定温度を基準温度として、通信インターフェイスを介して複数の温度センサの各々からの温度に基づいて対応する照明の光の色を制御し、第２の期間の第１の時間帯においては、第２の所定温度を基準温度として、通信インターフェイスを介して複数の温度センサの各々からの温度に基づいて対応する照明の光の色を制御し、第２の期間の第２の時間帯においては、第４の所定温度を基準温度として、通信インターフェイスを介して複数の温度センサの各々からの温度に基づいて対応する照明の光の色を制御する。
【００１８】
好ましくは、コントローラは、第１の修正値を第１の期間に対応付けて記憶し、第１の修正値よりも高い第２の修正値を第１の期間よりも気温が低い第２の期間に対応付けて記憶するメモリをさらに備える。通信インターフェイスは外気温度センサと通信可能である。プロセッサは、通信インターフェイスを介して外気温度センサから外気温度を受信する。プロセッサは、第１の期間においては、第１の修正値に基づいて修正された外気温度を基準温度として、通信インターフェイスを介して複数の温度センサの各々からの温度に基づいて対応する照明の光の色を制御し、第２の期間においては、第２の修正値に基づいて修正された外気温度を基準温度として、通信インターフェイスを介して複数の温度センサの各々からの温度に基づいて対応する照明の光の色を制御する。
【００１９】
好ましくは、コントローラは、第１の修正値を第１の期間に対応付けて記憶し、第１の修正値よりも低い第２の修正値を第１の期間よりも気温が低い第２の期間に対応付けて記憶するメモリとをさらに備える。通信インターフェイスはエアーコンディショナと通信可能である。プロセッサは、エアーコンディショナの設定温度を取得し、第１の期間においては、第１の修正値に基づいて修正された設定温度を基準温度として、通信インターフェイスを介して複数の温度センサの各々からの温度に基づいて対応する照明の光の色を制御し、第２の期間においては、第２の修正値に基づいて修正された設定温度を基準温度として、通信インターフェイスを介して複数の温度センサの各々からの温度に基づいて対応する照明の光の色を制御する。
【００２０】
好ましくは、コントローラは、ユーザから温度の指定を受け付けるための操作部をさらに備える。プロセッサは、指定された温度を基準温度として、通信インターフェイスを介して複数の温度センサの各々からの温度に基づいて対応する照明の光の色を制御する。
【００２１】
好ましくは、プロセッサは、複数の温度センサの各々からの温度の平均値を計算する。プロセッサは、平均値を基準温度として、通信インターフェイスを介して複数の温度センサの各々からの温度に基づいて対応する照明の光の色を制御する。
【００２２】
この発明の別の局面に従うと、複数の温度センサと、複数の温度センサそれぞれの周囲を照らすための複数の照明と、コントローラと、を含むネットワークシステムの制御方法が提供される。ネットワークシステムの制御方法は、コントローラが、複数の温度センサの各々からの温度を取得するステップと、複数の温度センサの各々からの温度が高い場合に、コントローラが、当該温度センサに対応する照明を暖色系の光を発するように制御するステップと、複数の温度センサの各々からの温度が低い場合に、コントローラが、当該温度センサに対応する照明を寒色系の光を発するように制御するステップとを備える。
【００２３】
この発明の別の局面に従うと、複数の温度センサと複数の温度センサそれぞれの周囲を照らすための複数の照明と通信するための通信インターフェイスと、プロセッサと、を含むコントローラの制御方法が提供される。コントローラの制御方法は、プロセッサが、通信インターフェイスを介して複数の温度センサの各々から温度を受信するステップと、複数の温度センサの各々からの温度が高い場合に、プロセッサが、通信インターフェイスを介して当該温度センサに対応する照明を暖色系の光を発するように制御するステップと、複数の温度センサの各々からの温度が低い場合に、プロセッサが、通信インターフェイスを介して当該温度センサに対応する照明を寒色系の光を発するように制御するステップとを備える。
【発明の効果】
【００２４】
以上のように、本発明によって、場所に応じてより細やかに照明が発する光の色を制御することができるネットワークシステム、コントローラおよび制御方法が提供される。その結果、ユーザは、より正確に涼しい場所や暖かい場所を認識することができる。
【図面の簡単な説明】
【００２５】
【図１】本実施の形態に係るネットワークシステム１の全体構成を示すイメージ図である。
【図２】本実施の形態に係るホームコントローラ１００のハードウェア構成を表わすブロック図である。
【図３】本実施の形態に係る機器テーブル１０１Ａを示すイメージ図である。
【図４】本実施の形態に係る色温度テーブル１０１Ｂを示すイメージ図である。
【図５】実施の形態１に係るホームコントローラ１００における制御処理の処理手順を示すフローチャートである。
【図６】実施の形態２に係る基準温度テーブル１０１Ｃを示すイメージ図である。
【図７】実施の形態２に係るホームコントローラ１００における制御処理の処理手順を示すフローチャートである。
【図８】実施の形態３に係る外気温度修正テーブル１０１Ｄを示すイメージ図である。
【図９】実施の形態３に係るホームコントローラ１００における制御処理の処理手順を示すフローチャートである。
【図１０】実施の形態４に係る設定温度修正テーブル１０１Ｅを示すイメージ図である。
【図１１】実施の形態４に係るホームコントローラ１００における制御処理の処理手順を示すフローチャートである。
【発明を実施するための形態】
【００２６】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２７】
［実施の形態１］
＜ネットワークシステムの動作概要＞
まず、本実施の形態に係るネットワークシステム１の動作概要について説明する。図１は、本実施の形態に係るネットワークシステム１の全体構成を示すイメージ図である。
【００２８】
図１を参照して、本実施の形態に係るネットワークシステム１は、たとえば、室内に配置される、複数の温度センサ１２０Ａ〜１２０Ｄと、複数の照明１３０Ａ〜１３０Ｄと、エアーコンディショナ２００とを含む。ネットワークシステム１は、室外あるいは屋外に、外気温度センサ１４０をさらに含む。ネットワークシステム１は、室内あるいは室外に、ホームコントローラ１００を含む。
【００２９】
複数の照明１３０Ａ〜１３０Ｄは、それぞれ、複数の温度センサ１２０Ａ〜１２０Ｄの周囲を照らすように取り付けられている。複数の照明１３０Ａ〜１３０Ｄは、それぞれ、複数の温度センサ１２０Ａ〜１２０Ｄに対向して配置されてもよいし、複数の温度センサ１２０Ａ〜１２０Ｄの近傍に複数の温度センサ１２０Ａ〜１２０Ｄの周囲を明るくするように配置されてもよい。
【００３０】
また、複数の照明１３０Ａ〜１３０Ｄの各々は、ホームコントローラ１００からの指令に基づいて、複数の色の光を発することができる。より詳細には、複数の照明１３０Ａ〜１３０Ｄの各々は、暖色系の光と寒色系の光を発することができる少なくとも１つの光源を含むものである。あるいは、複数の照明１３０Ａ〜１３０Ｄの各々は、少なくとも１つの暖色系の光を発する光源と、少なくとも１つの寒色系の光を発することができる光源とを含む。
【００３１】
ホームコントローラ１００は、有線あるいは無線のネットワークを介して、複数の照明１３０Ａ〜１３０Ｄ、複数の温度センサ１２０Ａ〜１２０Ｄ、外気温度センサ１４０、およびエアーコンディショナ２００とデータ通信が可能である。ホームコントローラ１００は、たとえば、有線ＬＡＮ（Local  Area  Network）、無線ＬＡＮ、ＰＬＣ（Power  Line  Communications）、ZigBee（登録商標）、あるいはBluetooth（登録商標）などを利用してデータ通信する。
【００３２】
本実施の形態に係るネットワークシステム１においては、ホームコントローラ１００が、複数の温度センサ１２０Ａ〜１２０Ｄの各々からの受信した温度が高い場合に、当該温度センサ１２０Ａ（１２０Ｂ〜１２０Ｄ）に対応する照明１３０Ａ（１１０Ｂ〜１３０Ｄ）を暖色系の光を発するように制御する。ホームコントローラ１００が、複数の温度センサ１２０Ａ〜１２０Ｄの各々からの受信した温度が低い場合に、当該温度センサ１２０Ａ（１２０Ｂ〜１２０Ｄ）に対応する照明１３０Ａ（１１０Ｂ〜１３０Ｄ）を寒色系の光を発するように制御する。
【００３３】
本実施の形態に係るネットワークシステム１は、上記のように構成されているため、場所に応じてより細やかに照明が発する光の色を制御することができる。その結果、ユーザは、より正確に涼しい場所や暖かい場所を認識することができる。以下、本実施の形態に係るネットワークシステム１の具体的な構成について詳述する。
【００３４】
なお、以下では、複数の照明１３０Ａ〜１３０Ｄを総称して、照明１３０ともいう。複数の温度センサ１２０Ａ〜１２０Ｄを総称して、温度センサ１２０ともいう。
【００３５】
＜ホームコントローラ１００のハードウェア構成＞
本実施の形態に係るホームコントローラ１００のハードウェア構成の一態様について説明する。図２は、本実施の形態に係るホームコントローラ１００のハードウェア構成を表わすブロック図である。
【００３６】
ホームコントローラ１００は、メモリ１０１と、ディスプレイ１０２と、タブレット１０３と、ボタン１０５と、第１の通信インターフェイス１０６と、第２の通信インターフェイス１０７と、スピーカ１０８と、時計１０９と、ＣＰＵ（Central  Processing  Unit）１１０とを含む。
【００３７】
メモリ１０１は、各種のＲＡＭ（Random  Access  Memory）や、ＲＯＭ（Read-Only  Memory）や、ハードディスクなどによって実現される。たとえば、メモリ１０１は、読取用のインターフェイスを介して利用される、ＵＳＢ（Universal  Serial  Bus）メモリ、ＣＤ−ＲＯＭ（Compact  Disc  -  Read  Only  Memory）、ＤＶＤ−ＲＯＭ（Digital  Versatile  Disk  -  Read  Only  Memory）、ＵＳＢ（Universal  Serial  Bus）メモリ、メモリカード、ＦＤ（Flexible  Disk）、ハードディスク、磁気テープ、カセットテープ、ＭＯ（Magnetic  Optical  Disc）、ＭＤ（Mini  Disc）、ＩＣ（Integrated  Circuit）カード（メモリカードを除く）、光カード、マスクＲＯＭ、ＥＰＲＯＭ、ＥＥＰＲＯＭ（Electronically  Erasable  Programmable  Read-Only  Memory）などの、不揮発的にプログラムを格納する媒体などによっても実現される。
【００３８】
メモリ１０１は、ＣＰＵ１１０によって実行される制御プログラム、複数の温度センサ１２０Ａ〜１２０Ｄと複数の照明１３０Ａ〜１３０Ｄとの対応関係を示す機器テーブル１０１Ａ、光の色と温度との対応関係とを示す色温度テーブル１０１Ｂを記憶する。
【００３９】
図３は、本実施の形態に係る機器テーブル１０１Ａを示すイメージ図である。図３を参照して、機器テーブル１０１Ａは、複数の温度センサ１２０Ａ〜１２０Ｄと複数の照明１３０Ａ〜１３０Ｄとの対応関係を示す。後述するように、ＣＰＵ１１０は、機器テーブル１０１Ａを参照することによって複数の温度センサ１２０Ａ〜１２０Ｄの各々から受信した温度に対応して制御されるべき照明１３０Ａ（１１０Ｂ〜１３０Ｄ）を特定することができる。
【００４０】
図４は、本実施の形態に係る色温度テーブル１０１Ｂを示すイメージ図である。図４を参照して、色温度テーブル１０１Ｂは、複数の温度センサ１２０Ａ〜１２０Ｄの各々で取得される温度の基準温度からの差（相対温度）と、好ましい光の色との対応関係を示す。ただし、色温度テーブル１０１Ｂは、基準温度に対する相対温度の割合と、好ましい光の色との対応関係を示してもよい。
【００４１】
本実施の形態においては、高い相対温度ほど暖色系の色に対応付けられており、低い相対温度ほど寒色系の色に対応付けられている。換言すれば、基準温度よりも高い温度ほど赤みがかった色に対応付けられており、基準温度よりも低い温度ほど青みがかった色に対応付けられている。後述するように、ＣＰＵ１１０は、色温度テーブル１０１Ｂを参照することによって、複数の温度センサ１２０Ａ〜１２０Ｄの各々の周囲に、どのような色の光の色を照射すべきかを特定することができる。
【００４２】
図２に戻って、ディスプレイ１０２は、ＣＰＵ１１０によって制御されることによって、様々な情報を表示する。タブレット１０３は、ユーザの指によるタッチ操作を検出して、タッチ座標などをＣＰＵ１１０に入力する。ＣＰＵ１１０は、タブレット１０３を介して、ユーザからの命令を受け付ける。
【００４３】
本実施の形態においては、ディスプレイ１０２の表面にタブレット１０３が敷設されている。すなわち、本実施の形態においては、ディスプレイ１０２とタブレット１０３とがタッチパネル１０４を構成する。ただし、ホームコントローラ１００は、タブレット１０３を有していなくとも良い。
【００４４】
ボタン１０５は、ホームコントローラ１００の表面に配置される。テンキーなどの複数のボタンがホームコントローラ１００に配置されても良い。ボタン１０５は、ユーザから様々な命令を受け付ける。ボタン１０５は、ユーザからの命令をＣＰＵ１１０に入力する。
【００４５】
第１の通信インターフェイス１０６は、ＣＰＵ１１０によって制御されることによって、ネットワークを介して、複数の照明１３０Ａ〜１３０Ｄ、複数の温度センサ１２０Ａ〜１２０Ｄ、外気温度センサ１４０、エアーコンディショナ２００とデータを送受信する。第１の通信インターフェイス１０６は、有線ＬＡＮ、無線ＬＡＮ、ＰＬＣ、ZigBee（登録商標）、あるいはBluetooth（登録商標）などを利用することによって、複数の装置とデータを送受信する。
【００４６】
第２の通信インターフェイス１０７は、ＣＰＵ１１０によって制御されることによって、外部のネットワークを介して、図示しない外部のサーバなどとデータを送受信する。第２の通信インターフェイス１０７は、インターネット、キャリア網、ＷＡＮ、ＬＡＮ、ZigBee（登録商標）、あるいはBluetooth（登録商標）などを利用することによって、外部のサーバなどとデータを送受信する。
【００４７】
ただし、第１の通信インターフェイス１０６と第２の通信インターフェイス１０７とは、１つの通信インターフェイス（１つのデバイス）であってもよい。
【００４８】
スピーカ１０８は、ＣＰＵ１１０によって制御されることによって、様々な情報（たとえば、音声メッセージやビープ音など）を出力する。
【００４９】
時計１０９は、ＣＰＵ１１０からの指令に基づいて、現在の日時や時刻をＣＰＵ１１０に入力する。
【００５０】
ＣＰＵ１１０は、メモリ１０１に記憶されている各種のプログラムを実行する。ホームコントローラ１００における処理（たとえば、図５，７，９，１１に示す処理など。）は、各ハードウェアおよびＣＰＵ１１０により実行されるソフトウェアによって実現される。このようなソフトウェアは、メモリ１０１に予め記憶されている場合がある。また、ソフトウェアは、記憶媒体に格納されて、プログラム製品として流通している場合もある。あるいは、ソフトウェアは、いわゆるインターネットに接続されている情報提供事業者によってダウンロード可能なプログラム製品として提供される場合もある。
【００５１】
このようなソフトウェアは、図示しない読取装置を利用することによってその記憶媒体から読み取られて、あるいは、第１の通信インターフェイス１０６あるいは第２の通信インターフェイス１０７を利用することによってダウンロードされて、メモリ１０１に一旦格納される。ＣＰＵ１１０は、ソフトウェアを実行可能なプログラムの形式でメモリ１０１に格納してから、当該プログラムを実行する。
【００５２】
なお、記憶媒体としては、ＣＤ−ＲＯＭ（Compact  Disc  -  Read  Only  Memory）、ＤＶＤ−ＲＯＭ（Digital  Versatile  Disk  -  Read  Only  Memory）、ＵＳＢ（Universal  Serial  Bus）メモリ、メモリカード、ＦＤ（Flexible  Disk）、ハードディスク、磁気テープ、カセットテープ、ＭＯ（Magnetic  Optical  Disc）、ＭＤ（Mini  Disc）、ＩＣ（Integrated  Circuit）カード（メモリカードを除く）、光カード、マスクＲＯＭ、ＥＰＲＯＭ、ＥＥＰＲＯＭ（Electronically  Erasable  Programmable  Read-Only  Memory）などの、不揮発的にプログラムを格納する媒体が挙げられる。
【００５３】
ここでいうプログラムとは、ＣＰＵにより直接実行可能なプログラムだけでなく、ソースプログラム形式のプログラム、圧縮処理されたプログラム、暗号化されたプログラム等を含む。
【００５４】
ＣＰＵ１１０は、第１の通信インターフェイス１０６を介して、複数の温度センサ１２０Ａ〜１２０Ｄの各々から温度を示すデータを受信する。ＣＰＵ１１０は、温度センサ１２０からの温度に基づいて、色温度テーブル１０１Ｂを参照して、対応する光の色を特定する。
【００５５】
たとえば、温度センサ１２０からの温度が高いほど、ＣＰＵ１１０は、色温度テーブル１０１Ｂを参照して、より暖色系の色（より赤に近い色）を特定する。ＣＰＵ１１０は、機器テーブル１０１Ａを参照して、温度センサ１２０に対応する照明１３０に暖色系の色の光を発するように命令する。
【００５６】
温度センサ１２０からの温度が低いほど、ＣＰＵ１１０は、色温度テーブル１０１Ｂを参照して、より寒色系の色（より紫に近い色）を特定する。ＣＰＵ１１０は、機器テーブル１０１Ａを参照して、温度センサ１２０に対応する照明１３０に寒色系の色の光を発するように命令する。
【００５７】
なお、本実施の形態においては、暖色と寒色の間の中間色に対応する基準温度（所定温度）が、メモリ１０１に記憶される。たとえば、基準温度は、ユーザがタッチパネル１０４やボタン１０５を介して設定される。あるいは、基準温度は、予め設定されていてもよい。あるいは、基準温度は、逐次あるいは定期的に、ＣＰＵ１１０が、第２の通信インターフェイス１０７を介して、外部のサーバから取得するものであってもよい。
【００５８】
＜ホームコントローラ１００における制御処理＞
次に、本実施の形態に係るホームコントローラ１００における制御処理について説明する。図５は、本実施の形態に係るホームコントローラ１００における制御処理の処理手順を示すフローチャートである。
【００５９】
図５を参照して、ＣＰＵ１１０は、メモリ１０１の変数ｎに１を代入する（ステップＳ１０２）。予め、メモリ１０１には、変数Ｎとして、複数の温度センサ１２０Ａ〜１２０Ｄの個数が登録されている。
【００６０】
ＣＰＵ１１０は、機器テーブル１０１Ａを参照して、第１の通信インターフェイス１０６を介して、ｎ番目の温度センサ１２０から温度を取得する（ステップＳ１０４）。ＣＰＵ１１０は、メモリ１０１から基準温度を読み出す（ステップＳ１０６）。ＣＰＵ１１０は、取得した温度の基準温度に対する相対温度を計算する（ステップＳ１０８）。ただし、ＣＰＵ１１０は、相対温度の基準温度に対する割合を計算しても良い。
【００６１】
色温度テーブル１０１Ｂを参照して、相対温度（割合）に対応する色を特定する（ステップＳ１１０）。ＣＰＵ１１０は、機器テーブル１０１Ａを参照して、ｎ番目の温度センサ１２０に対応する照明１３０を特定する。ＣＰＵ１１０は、第１の通信インターフェイス１０６を介して、照明１３０に相対温度に対応する色の光を発するように命令する（ステップＳ１１２）。
【００６２】
ＣＰＵ１１０は、変数ｎをインクリメントする（ステップＳ１１４）。ＣＰＵ１１０は、変数ｎ＝Ｎであるか否かを判断する（ステップＳ１１６）。ＣＰＵ１１０は、ｎ＝Ｎでない場合（ステップＳ１１６においてＮＯである場合）、ステップＳ１０４からの処理を繰り返す。ＣＰＵ１１０は、ｎ＝Ｎである場合（ステップＳ１１６においてＹＥＳである場合）、ステップＳ１０２からの処理を繰り返す。
【００６３】
このように、本実施の形態に係るネットワークシステム１は、基準温度と複数の温度センサ１２０Ａ〜１２０Ｄからの温度とに基づいて、対応する照明１３０の光の色を制御するため、場所に応じてより細やかに照明が発する光の色を制御することができる。その結果、ユーザは、部屋の中のどのエリアがより涼しくてどのエリアがより暖かいかを、容易に認識することができる。
【００６４】
＜変形例＞
上述の本実施の形態においては、基準温度が予め設定されていたり、基準温度が外部から与えられるものであった。しかしながら、ＣＰＵ１１０は、逐次あるいは定期的に、基準温度を計算してもよい。たとえば、ＣＰＵ１１０は、図５のステップＳ１０６において、基準温度として、複数の温度センサ１２０Ａ〜１２０Ｄからの温度の平均値を計算してもよい。
【００６５】
［実施の形態２］
次に、本発明の実施の形態２について説明する。上述の実施の形態１に係るネットワークシステム１では、基準温度は、ユーザがタッチパネル１０４やボタン１０５を介して設定される。あるいは、基準温度は、予め設定される。あるいは、基準温度は、逐次あるいは定期的に、ＣＰＵ１１０が、第２の通信インターフェイス１０７を介して外部のサーバから取得する。あるいは、ＣＰＵ１１０が、複数の温度センサ１２０Ａ〜１２０Ｄからの温度に基づいて、逐次あるいは定期的に基準温度を計算するものであった。
【００６６】
一方、本実施の形態に係るネットワークシステム１は、季節に応じて、自動的に基準温度を切り替えるものである。後述するように、ネットワークシステム１は、さらに、時間帯に応じて、自動的に基準温度を切り替えてもよい。
【００６７】
なお、以下では、実施の形態１に係るネットワークシステム１と同様の構成については、説明を繰り返さない。たとえば、本実施の形態に係る、ネットワークシステム１の全体構成（図１）、ネットワークシステム１のハードウェア構成（図２）、機器テーブル１０１Ａのデータ構成（図３）、色温度テーブル１０１Ｂのデータ構成（図４）などは、実施の形態１のそれらと同様であるため、ここでは説明を繰り返さない。
【００６８】
＜メモリ１０１に記憶されるデータとＣＰＵ１１０の動作の概略＞
ただし、ネットワークシステム１のハードウェア構成（図２）に関しては、メモリ１０１が記憶するデータと、ＣＰＵ１１０の具体的な動作とが、実施の形態１のそれらとは異なる。以下では、メモリ１０１の記憶するデータとＣＰＵ１１０の動作とについて説明する。
【００６９】
まず、本実施の形態に係るメモリ１０１は、ＣＰＵ１１０によって実行される制御プログラム、複数の温度センサ１２０Ａ〜１２０Ｄと複数の照明１３０Ａ〜１３０Ｄとの対応関係を示す機器テーブル１０１Ａ、光の色と温度との対応関係とを示す色温度テーブル１０１Ｂ、基準温度テーブル１０１Ｃとを記憶する。
【００７０】
図６は、本実施の形態に係る基準温度テーブル１０１Ｃを示すイメージ図である。図６を参照して、基準温度テーブル１０１Ｃは、基準温度を、季節と時間帯とに対応付けて記憶する。そして、本実施の形態に係るＣＰＵ１１０は、季節と時間帯とに適した基準温度に基づいて、照明１３０が発光する光の色を制御する。
【００７１】
＜ホームコントローラ１００における制御処理＞
次に、本実施の形態に係るホームコントローラ１００における制御処理について説明する。図７は、本実施の形態に係るホームコントローラ１００における制御処理の処理手順を示すフローチャートである。
【００７２】
図７を参照して、ＣＰＵ１１０は、メモリ１０１の変数ｎに１を代入する（ステップＳ２０２）。予め、メモリ１０１には、変数Ｎとして、複数の温度センサ１２０Ａ〜１２０Ｄの個数が登録されている。
【００７３】
ＣＰＵ１１０は、機器テーブル１０１Ａを参照して、第１の通信インターフェイス１０６を介して、ｎ番目の温度センサ１２０から温度を取得する（ステップＳ２０４）。ＣＰＵ１１０は、時計１０９から現在の日付と時刻とを取得する（ステップＳ２０６）。ＣＰＵ１１０は、基準温度テーブル１０１Ｃから、現在の日付と時刻とに対応する基準温度を読み出す（ステップＳ２０８）。ＣＰＵ１１０は、取得した温度の基準温度に対する相対温度を計算する（ステップＳ２１０）。ただし、ＣＰＵ１１０は、相対温度の基準温度に対する割合を計算しても良い。
【００７４】
ＣＰＵ１１０は、色温度テーブル１０１Ｂを参照して、相対温度（割合）に対応する色を特定する（ステップＳ２１２）。ＣＰＵ１１０は、機器テーブル１０１Ａを参照して、ｎ番目の温度センサ１２０に対応する照明１３０を特定する。ＣＰＵ１１０は、第１の通信インターフェイス１０６を介して、照明１３０に相対温度に対応する色の光を発するように命令する（ステップＳ２１４）。
【００７５】
ＣＰＵ１１０は、変数ｎをインクリメントする（ステップＳ２１６）。ＣＰＵ１１０は、変数ｎ＝Ｎであるか否かを判断する（ステップＳ２１８）。ＣＰＵ１１０は、ｎ＝Ｎでない場合（ステップＳ２１８においてＮＯである場合）、ステップＳ２０４からの処理を繰り返す。ＣＰＵ１１０は、ｎ＝Ｎである場合（ステップＳ２１８においてＹＥＳである場合）、ステップＳ２０２からの処理を繰り返す。
【００７６】
このように、本実施の形態に係るネットワークシステム１は、期間に応じて基準温度を変更するため、期間と場所とに応じてより細やかに照明が発する光の色を制御することができる。
【００７７】
［実施の形態３］
次に、本発明の実施の形態３について説明する。上述の実施の形態１に係るネットワークシステム１では、基準温度は、ユーザがタッチパネル１０４やボタン１０５を介して設定される。あるいは、基準温度は、予め設定される。あるいは、基準温度は、逐次あるいは定期的に、ＣＰＵ１１０が、第２の通信インターフェイス１０７を介して外部のサーバから取得する。あるいは、ＣＰＵ１１０が、複数の温度センサ１２０Ａ〜１２０Ｄからの温度に基づいて、逐次あるいは定期的に基準温度を計算するものであった。
【００７８】
一方、本実施の形態に係るネットワークシステム１は、外気温度に応じて、基準温度を変更するものである。ネットワークシステム１は、さらに、期間に応じて、外気温度からの修正値を切り替えてもよい。
【００７９】
なお、以下では、実施の形態１に係るネットワークシステム１と同様の構成については、説明を繰り返さない。たとえば、本実施の形態に係る、ネットワークシステム１の全体構成（図１）、ネットワークシステム１のハードウェア構成（図２）、機器テーブル１０１Ａのデータ構成（図３）、色温度テーブル１０１Ｂのデータ構成（図４）などは、実施の形態１のそれらと同様であるため、ここでは説明を繰り返さない。
【００８０】
＜メモリ１０１に記憶されるデータとＣＰＵ１１０の動作の概略＞
ただし、ネットワークシステム１のハードウェア構成（図２）に関しては、メモリ１０１が記憶するデータと、ＣＰＵ１１０の具体的な動作とが、実施の形態１のそれらとは異なる。以下では、メモリ１０１の記憶するデータとＣＰＵ１１０の動作とについて説明する。
【００８１】
まず、本実施の形態に係るメモリ１０１は、ＣＰＵ１１０によって実行される制御プログラム、複数の温度センサ１２０Ａ〜１２０Ｄと複数の照明１３０Ａ〜１３０Ｄとの対応関係を示す機器テーブル１０１Ａ、光の色と温度との対応関係とを示す色温度テーブル１０１Ｂ、外気温度修正テーブル１０１Ｄを記憶する。
【００８２】
図８は、本実施の形態に係る外気温度修正テーブル１０１Ｄを示すイメージ図である。図８を参照して、外気温度修正テーブル１０１Ｄは、設定されるべき基準温度と測定される外気温度との差（修正値）を、季節に対応付けて記憶する。ただし、実施の形態２と同様に、外気温度修正テーブル１０１Ｄは、設定されるべき基準温度と測定される外気温度との差を、時間帯に対応付けて記憶してもよい。
【００８３】
本実施の形態においては、ＣＰＵ１１０は、夏は、外気温度センサから得られた外気温度から所定温度（修正値）だけ低い温度を基準温度として設定する。本実施の形態においては、ＣＰＵ１１０は、夏は、外気温度から２度だけ低い温度を基準温度として設定する。
【００８４】
ＣＰＵ１１０は、冬は、外気温度センサから得られた外気温度から所定温度（修正値）だけ高い温度を基準温度として設定する。本実施の形態においては、ＣＰＵ１１０は、冬は、外気温度から５度だけ高い温度を基準温度として設定する。
【００８５】
なお、本実施の形態においては、ＣＰＵ１１０は、春と夏は、外気温度センサから得られた外気温度を基準温度として設定する。
【００８６】
つまり、本実施の形態に係るＣＰＵ１１０は、外気温度と季節および／あるいは時間帯とに適した基準温度に基づいて、照明１３０が発光する光の色を制御する。
【００８７】
＜ホームコントローラ１００における制御処理＞
次に、本実施の形態に係るホームコントローラ１００における制御処理について説明する。図９は、本実施の形態に係るホームコントローラ１００における制御処理の処理手順を示すフローチャートである。
【００８８】
図９を参照して、ＣＰＵ１１０は、メモリ１０１の変数ｎに１を代入する（ステップＳ３０２）。予め、メモリ１０１には、変数Ｎとして、複数の温度センサ１２０Ａ〜１２０Ｄの個数が登録されている。
【００８９】
ＣＰＵ１１０は、機器テーブル１０１Ａを参照して、第１の通信インターフェイス１０６を介して、ｎ番目の温度センサ１２０から温度を取得する（ステップＳ３０４）。ＣＰＵ１１０は、時計１０９から現在の日付と時刻とを取得する（ステップＳ３０６）。ＣＰＵ１１０は、外気温度修正テーブル１０１Ｄから、現在の日付と時刻とに対応する修正値を読み出す（ステップＳ３０８）。
【００９０】
ＣＰＵ１１０は、第１の通信インターフェイス１０６を介して、外気温度センサ１４０から外気温度を取得する（ステップＳ３１０）。ＣＰＵ１１０は、外気温度に修正値を加算することによって基準温度を計算する（ステップＳ３１２）。ＣＰＵ１１０は、複数の温度センサ１２０Ａ〜１２０Ｄの各々から取得した温度の基準温度に対する相対温度を計算する（ステップＳ３１４）。ただし、ＣＰＵ１１０は、相対温度の基準温度に対する割合を計算しても良い。
【００９１】
ＣＰＵ１１０は、色温度テーブル１０１Ｂを参照して、相対温度（割合）に対応する色を特定する（ステップＳ３１６）。ＣＰＵ１１０は、機器テーブル１０１Ａを参照して、ｎ番目の温度センサ１２０に対応する照明１３０を特定する。ＣＰＵ１１０は、第１の通信インターフェイス１０６を介して、照明１３０に相対温度に対応する色の光を発するように命令する（ステップＳ３１８）。
【００９２】
ＣＰＵ１１０は、変数ｎをインクリメントする（ステップＳ３２０）。ＣＰＵ１１０は、変数ｎ＝Ｎであるか否かを判断する（ステップＳ３２２）。ＣＰＵ１１０は、ｎ＝Ｎでない場合（ステップＳ３２２においてＮＯである場合）、ステップＳ３０４からの処理を繰り返す。ＣＰＵ１１０は、ｎ＝Ｎである場合（ステップＳ３２２においてＹＥＳである場合）、ステップＳ３０２からの処理を繰り返す。
【００９３】
このように、本実施の形態に係るネットワークシステム１は、外気温度に応じて基準温度を変更するため、外気温度と場所とに応じてより細やかに照明が発する光の色を制御することができる。
【００９４】
［実施の形態４］
次に、本発明の実施の形態４について説明する。上述の実施の形態１に係るネットワークシステム１では、基準温度は、ユーザがタッチパネル１０４やボタン１０５を介して設定される。あるいは、基準温度は、予め設定される。あるいは、基準温度は、逐次あるいは定期的に、ＣＰＵ１１０が、第２の通信インターフェイス１０７を介して外部のサーバから取得する。あるいは、ＣＰＵ１１０が、複数の温度センサ１２０Ａ〜１２０Ｄからの温度に基づいて、逐次あるいは定期的に基準温度を計算するものであった。
【００９５】
一方、本実施の形態に係るネットワークシステム１は、エアーコンディショナ２００の設定温度応じて、基準温度を変更するものである。ネットワークシステム１は、さらに、期間に応じて、設定温度からの修正値を切り替えてもよい。
【００９６】
なお、以下では、実施の形態１に係るネットワークシステム１と同様の構成については、説明を繰り返さない。たとえば、本実施の形態に係る、ネットワークシステム１の全体構成（図１）、ネットワークシステム１のハードウェア構成（図２）、機器テーブル１０１Ａのデータ構成（図３）、色温度テーブル１０１Ｂのデータ構成（図４）などは、実施の形態１のそれらと同様であるため、ここでは説明を繰り返さない。
【００９７】
＜メモリ１０１に記憶されるデータとＣＰＵ１１０の動作の概略＞
ただし、ネットワークシステム１のハードウェア構成（図２）に関しては、メモリ１０１が記憶するデータと、ＣＰＵ１１０の具体的な動作とが、実施の形態１のそれらとは異なる。以下では、メモリ１０１の記憶するデータとＣＰＵ１１０の動作とについて説明する。
【００９８】
まず、本実施の形態に係るメモリ１０１は、ＣＰＵ１１０によって実行される制御プログラム、複数の温度センサ１２０Ａ〜１２０Ｄと複数の照明１３０Ａ〜１３０Ｄとの対応関係を示す機器テーブル１０１Ａ、光の色と温度との対応関係とを示す色温度テーブル１０１Ｂ、設定温度修正テーブル１０１Ｅを記憶する。
【００９９】
図１０は、本実施の形態に係る設定温度修正テーブル１０１Ｅを示すイメージ図である。図１０を参照して、設定温度修正テーブル１０１Ｅは、設定されるべき基準温度とエアーコンディショナ２００の設定温度との差（修正値）を、季節に対応付けて記憶する。ただし、実施の形態２と同様に、設定温度修正テーブル１０１Ｅは、設定されるべき基準温度とエアーコンディショナ２００の設定温度との差を、時間帯に対応付けて記憶してもよい。
【０１００】
本実施の形態においては、ＣＰＵ１１０は、夏は、設定温度から所定温度（修正値）だけ高い温度を基準温度として設定する。本実施の形態においては、ＣＰＵ１１０は、夏は、外気温度から２度だけ高い温度を基準温度として設定する。
【０１０１】
ＣＰＵ１１０は、冬は、設定温度から所定温度（修正値）だけ高い温度を基準温度として設定する。本実施の形態においては、ＣＰＵ１１０は、冬は、設定温度から２度だけ低い温度を基準温度として設定する。
【０１０２】
なお、本実施の形態においては、ＣＰＵ１１０は、春と夏は、設定温度を基準温度として設定する。
【０１０３】
つまり、本実施の形態に係るＣＰＵ１１０は、設定温度と季節および／あるいは時間帯とに適した基準温度に基づいて、照明１３０が発光する光の色を制御する。
【０１０４】
＜ホームコントローラ１００における制御処理＞
次に、本実施の形態に係るホームコントローラ１００における制御処理について説明する。図１１は、本実施の形態に係るホームコントローラ１００における制御処理の処理手順を示すフローチャートである。
【０１０５】
図１１を参照して、ＣＰＵ１１０は、メモリ１０１の変数ｎに１を代入する（ステップＳ４０２）。予め、メモリ１０１には、変数Ｎとして、複数の温度センサ１２０Ａ〜１２０Ｄの個数が登録されている。
【０１０６】
ＣＰＵ１１０は、機器テーブル１０１Ａを参照して、第１の通信インターフェイス１０６を介して、ｎ番目の温度センサ１２０から温度を取得する（ステップＳ４０４）。ＣＰＵ１１０は、時計１０９から現在の日付と時刻とを取得する（ステップＳ４０６）。ＣＰＵ１１０は、設定温度修正テーブル１０１Ｅから、現在の日付と時刻とに対応する修正値を読み出す（ステップＳ４０８）。
【０１０７】
ＣＰＵ１１０は、第１の通信インターフェイス１０６を介して、エアーコンディショナ２００から設定温度を取得する（ステップＳ４１０）。ＣＰＵ１１０は、設定温度に修正値を加算することによって基準温度を計算する（ステップＳ４１２）。ＣＰＵ１１０は、複数の温度センサ１２０Ａ〜１２０Ｄの各々から取得した温度の基準温度に対する相対温度を計算する（ステップＳ４１４）。ただし、ＣＰＵ１１０は、相対温度の基準温度に対する割合を計算しても良い。
【０１０８】
ＣＰＵ１１０は、色温度テーブル１０１Ｂを参照して、相対温度（割合）に対応する色を特定する（ステップＳ４１６）。ＣＰＵ１１０は、機器テーブル１０１Ａを参照して、ｎ番目の温度センサ１２０に対応する照明１３０を特定する。ＣＰＵ１１０は、第１の通信インターフェイス１０６を介して、照明１３０に相対温度に対応する色の光を発するように命令する（ステップＳ４１８）。
【０１０９】
ＣＰＵ１１０は、変数ｎをインクリメントする（ステップＳ４２０）。ＣＰＵ１１０は、変数ｎ＝Ｎであるか否かを判断する（ステップＳ４２２）。ＣＰＵ１１０は、ｎ＝Ｎでない場合（ステップＳ４２２においてＮＯである場合）、ステップＳ４０４からの処理を繰り返す。ＣＰＵ１１０は、ｎ＝Ｎである場合（ステップＳ４２２においてＹＥＳである場合）、ステップＳ４０２からの処理を繰り返す。
【０１１０】
このように、本実施の形態に係るネットワークシステム１は、設定温度に応じて基準温度を変更するため、設定温度と場所とに応じてより細やかに照明が発する光の色を制御することができる。
【０１１１】
＜その他の実施の形態＞
本発明は、ホームコントローラや家電や携帯電話にプログラムを供給することによって達成される場合にも適用できることはいうまでもない。そして、本発明を達成するためのソフトウェアによって表されるプログラムを格納した記憶媒体を、システム或いは装置に供給し、そのシステム或いは装置のコンピュータ（又はＣＰＵやＭＰＵ）が記憶媒体に格納されたプログラムコードを読み出し実行することによっても、本発明の効果を享受することが可能となる。
【０１１２】
この場合、記憶媒体から読み出されたプログラムコード自体が前述した実施の形態の機能を実現することになり、そのプログラムコードを記憶した記憶媒体は本発明を構成することになる。
【０１１３】
また、コンピュータが読み出したプログラムコードを実行することにより、前述した実施の形態の機能が実現されるだけでなく、そのプログラムコードの指示に基づき、コンピュータ上で稼動しているＯＳ（オペレーティングシステム）などが実際の処理の一部または全部を行い、その処理によって前述した実施の形態の機能が実現される場合も含まれることは言うまでもない。
【０１１４】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によって前述した実施の形態の機能が実現される場合も含まれることは言うまでもない。
【０１１５】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【０１１６】
１  ネットワークシステム、１００  ホームコントローラ、１０１  メモリ、１０１Ａ  機器テーブル、１０１Ｂ  色温度テーブル、１０１Ｃ  基準温度テーブル、１０１Ｄ  外気温度テーブル、１０１Ｅ  設定温度テーブル、１０２  ディスプレイ、１０３  タブレット、１０４  タッチパネル、１０５  ボタン、１０６  第１の通信インターフェイス、１０７  第２の通信インターフェイス、１０８  スピーカ、１０９  時計、１１０  ＣＰＵ、１２０，１２０Ａ〜１２０Ｄ  温度センサ、１３０，１３０Ａ〜１３０Ｄ  照明、１４０  外気温度センサ、２００  エアコン。
【図１】
0005624429.tif 000002
【図２】
0005624429.tif 000003
【図３】
0005624429.tif 000004
【図４】
0005624429.tif 000005
【図５】
0005624429.tif 000006
【図６】
0005624429.tif 000007
【図７】
0005624429.tif 000008
【図８】
0005624429.tif 000009
【図９】
0005624429.tif 000010
【図１０】
0005624429.tif 000011
【図１１】
0005624429.tif 000012